(57)【要約】      （修正有）【課題】左右足置き台とこれを繋ぐ連結板から成り、水を重として利用し、高さを数段階に変えられる、洋式トイレ用の踏み台を提供する。【解決手段】踏み台は左右の、足置き台１、３とその間に掛け渡される連結板２から構成される。連結板２の下は隙間が空いており、男性が小便の時に邪魔に成らない。連結板２の下側には、４本の柱状部材を備える。踏み台は洋式トイレの正面に置かれる足置き台１、３の中には水を収納する空所５が設けられ、空所５に水を収納して踏み台の転倒防止の重とする。或るいは、足置き台１、３の中に、水の入った容器６を収容するようにしても良い。【選択図】図２
0003174395.tif 000002
【実用新案登録請求の範囲】
【請求項１】
右側足置き台と左側足置き台とこれを繋ぐ連結板から成る踏み台。
【請求項２】
右側及び左側足置き台に、空所を備える踏み台。
【請求項３】
右側及び左側足置き台に、水の入った容器を収容する空所を備える、請求項１の踏み台。
【請求項４】
前記連結板は、前記右側足置き台と左側足置き台に連結される柱状部材を備え、前記右側及び左側足置き台は、前記柱状部材が指し込まれる穴を２組備え、前記２組の穴は、互いに深さが異なる事を特徴とする、請求項１に記載の踏み台。
【考案の詳細な説明】
【技術分野】
【０００１】  本考案は、左右足置き台とこれを繋ぐ連結板から成り、水を重として利用し、高さを数段階に変えられる、洋式トイレ用の踏み台に関する。
【背景技術】
【０００２】（１）今まで多く作られた洋式トイレ用の踏み台は、幼児たちが利用する為の物が主で、四角い板を便器のＵ字型に、くり抜いただけの大きな物か、プラスチックなどの軽い素材で出来た、不安定な製品ばかりである。
（２）幼児用の踏み台は、子供や小柄な大人達がトイレを使用する時、高すぎて使えず邪魔に成ています。
（３）高さや重さを簡単に変えられ、幼児から子供や小柄な大人達まで誰もが使える、コンパクトで安全な踏み台は有りません。
【考案が解決しようとする課題】
【０００３】（１）近頃の洋式トイレにはウォシュレットが付いていますが、子供も小柄な人や老人達も便座が高い為に、足が床に届かずお尻の位置を合せるのに、とても困っています。
（２）幼児用の踏み台は、子供から小柄な大人やお年寄りまで、高すぎて利用出来ず自分達がトイレを使用する時には邪魔に成っています。
（３）軽い素材で出来た物や小さな踏み台は、バランスがとっても悪く不安定で、ズレたり倒れたりし易く、安全面に問題が有ります。
（４）重すぎず軽すぎず利用者の判断で、希望の重さに変えられるようにする。
（５）一台の踏み台で、幼児から子供や小柄な大人達まで誰もが利用できるように、高さが簡単に変えられるようにする。
（６）幼児から子供や小柄な大人達まで、誰もが快適にトイレを使用出来るようにする。
【課題を解決するための手段】
【０００４】（１）踏み台を右側足置き台と左側足置き台と、これを繋ぐ連結板から構成する。
（２）右側及び左側足置き台に、空所を備える。
（３）右側及び左側足置き台に、水の入った容器を収容する空所を備える。
（４）前記連結板は、前記右側足置き台と左側足置き台とを連結させる、柱状部材を備え前記右側及び左側足置き台は、前記柱状部材が差し込まれる穴を２組備え、前記２組の穴は互いに深さが異なるようにする。
【考案の効果】
【０００５】（１）この踏み台は、左右の足置き台と、床との接触面が大きく乗り降りの時や、フン張った時にズレ難く、ウォシュレットの位置に、楽に合せる事が出来るように成る。
（２）軽いプラスチックなどの素材で出来た、不安定な踏み台は水の重みで、重心が下がりバランスがよく成り、安定感の有る安全な製品に成る。
（３）高さが数段階に変えられるので、この一台で幼児から子供や小柄な大人達まで、多くの人が快適に、トイレを利用出来るように成る。
【図面の簡単な説明】
【０００６】
【図１】（Ａ）は、踏み台を、立体的に描いた図である。（Ｂ）は、連結板を、立体的に描いた図である。
【図２】（Ｃ）は、洋式トイレに踏み台（Ａ）を置き、真上から見た平面図である。（Ｄ）は、洋式トイレに踏み台（Ａ）を置き、真上から見た平面図である。
【図３】（Ｅ）は、足置き台１・３を立体的に描いた図である。（Ｆ）は、足置き台と連結板の連結状態を示す側面図である。
【図４】（Ｇ）は、踏み台を低くした状態を示した正面図である。（Ｈ）は、踏み台を高くした状態を示した正面図である。
【図５】（Ｉ）は、踏み台の変形例を示す図である。（Ｊ）は、連結板の変形例を示す図である。（Ｋ）は、連結板の変形例を示す図である。
【考案を実施するための形態】
【０００７】  踏み台は左右の、足置き台１・３とその間に、掛け渡される連結板２から構成される。
連結板２の下は隙間が空いており、男性が小便の時に邪魔に成らない。
図１（Ｂ）に示すように、連結板２の下側には、４本の柱状部材４を備える。
図２（Ｃ）に示すように、踏み台は洋式トイレの正面に置かれる、足置き台１・３の中には水を収納する空所５が設けられ、空所５に水を収納して踏み台の転倒防止の重とする。
或るいわ、図２の（Ｄ）に示すように足置き台１・３の中に，水の入った容器６を収容するようにしても良い。
図３（Ｅ）に示すように、足置き台１・３には深い穴７と浅い穴８を２個ずつ備える。
図の３（Ｆ）に示すように、連結板２の柱状部材４は、深い穴７又は浅い穴８に差し込む事が出来る。
図４（Ｇ）に示すように、連結板２の柱状部材４を、足置き台１・３の深い穴７に差し込めば連結板４は、低い位置にセッテングされる。
図の４（Ｈ）に示す用に、連結板２の柱状部材４を、足置き台１・３の浅い穴８に差し込めば連結板４は、高い位置にセッテングされる。
図５（Ｈ）に示すように、左足置き台と右足置き台を一体として、足置き台９を構成しても良い、足置き台９には深い穴７と、浅い穴８が図に示す用に合計１２個配置される。
図の５（Ｊ）に示すように、連結板２は６本の柱状部材４が配置されている、図の５（Ｊ）に示す状態で、連結板２を足置き台９に、取り付けると柱状部材４は深い穴７に、差し込まれるので連結板２は、低い位置に置かれる。
連結板２を、水平面内で１８０度回転させて、図の５（Ｋ）に示すようにして、足置き台９に取り付ければ、柱状部材４は浅い穴８に差し込まれるので、連結板２の位置は高く成る。
【符号の説明】
【０００８】１  左足置き台
２  連結板
３  右足置き台
４  柱状部材
５  水の入る空間
６  水の入る容器
７  深い穴
８  浅い穴
９  足置き台
【図１】
0003174395.tif 000003
【図２】
0003174395.tif 000004
【図３】
0003174395.tif 000005
【図４】
0003174395.tif 000006
【図５】
0003174395.tif 000007
【手続補正書】
【提出日】平成23年12月20日(2011.12.20)
【手続補正１】
【補正対象書類名】実用新案登録請求の範囲
【補正対象項目名】全文
【補正方法】変更
【補正の内容】
【実用新案登録請求の範囲】
【請求項１】
右側足置き台と左側足置き台とこれを繋ぐ連結板から成る踏み台。
【請求項２】
右側及び左側足置き台に、空所を備える事を特徴とする請求項１の踏み台。
【請求項３】
右側及び左側足置き台に、水の入った容器を収容する空所を備える、請求項１の踏み台。
【請求項４】
前記連結板は、前記右側足置き台と左側足置き台に連結される柱状部材を備え、前記右側及び左側足置き台は、前記柱状部材が指し込まれる穴を２組備え、前記２組の穴は、互いに深さが異なる事を特徴とする、請求項１に記載の踏み台。
【手続補正２】
【補正対象書類名】明細書
【補正対象項目名】０００３
【補正方法】変更
【補正の内容】
【０００３】（１）近頃の洋式トイレにはウォシュレット（登録商票）が付いていますが、子供も小柄な人や老人達も便座が高い為に、足が床に届かずお尻の位置を合せるのに、とても困っています。
（２）幼児用の踏み台は、子供から小柄な大人やお年寄りまで、高すぎて利用出来ず自分達がトイレを使用する時には邪魔に成っています。
（３）軽い素材で出来た物や小さな踏み台は、バランスがとっても悪く不安定で倒れたりし易く、安全面に問題が有ります。
（４）重すぎず軽すぎず利用者の判断で、希望の重さに変えられるようにする。
（５）一台の踏み台で、幼児から子供や小柄な大人達まで誰もが利用できるように、高さが簡単に変えられるようにする。
（６）幼児から子供や小柄な大人達まで、誰もが快適にトイレを使用出来るようにする。
【手続補正３】
【補正対象書類名】明細書
【補正対象項目名】０００５
【補正方法】変更
【補正の内容】
【０００５】（１）この踏み台は、左右の足置き台と、床との接触面が大きく乗り降りの時や踏ん張った時にズレ難く、ウォシュレット（登録商票）の位置に、楽に合せる事が出来るように成る。
（２）軽いプラスチックなどの素材で出来た、不安定な踏み台は水の重みで、重心が下がりバランスがよく成り、安定感の有る安全な製品に成る。
（３）高さが数段階に変えられるので、この一台で幼児から子供や小柄な大人達まで、多くの人が快適に、トイレを利用出来るように成る。